(57)【要約】【課題】空冷による騒音及び汚染を抑止することができ、さらに、装置の簡略化及びコスト削減を実現する。【解決手段】Ｘ線診断装置において、Ｘ線により被検体の医用画像を撮影する撮影部を構成する発熱体としてのＸ線検出器３ｂと、そのＸ線検出器３ｂを冷却液により冷却する熱交換器１１と、Ｘ線検出器３ｂ及び熱交換器１１を保持し放熱性を有する円弧状の保持アーム４ａと、その保持アーム４ａの内部に形成され、保持アーム４ａの形状に沿って冷却液を流し、熱交換器１１に循環させる循環流路Ｐと、熱交換器１１及び循環流路Ｐに冷却液を流すためのポンプ１２とを備える。【選択図】図２
2010279474.tif 000002
【特許請求の範囲】
【請求項１】
Ｘ線により被検体の医用画像を撮影する撮影部を構成する発熱体と、
前記発熱体を冷却液により冷却する熱交換器と、
前記発熱体及び前記熱交換器を保持し、放熱性を有する円弧状の保持アームと、
前記保持アームの内部に形成され、前記保持アームの形状に沿って前記冷却液を流し、前記熱交換器に循環させる循環流路と、
前記熱交換器及び前記循環流路に前記冷却液を流すためのポンプと、
を備えることを特徴とするＸ線診断装置。
【請求項２】
前記保持アームに設けられ、前記循環流路を流れる前記冷却液を冷却する冷却デバイスと、
前記保持アームに設けられ、前記保持アームの熱を放散させる放熱体と、
を備えることを特徴とする請求項１記載のＸ線診断装置。
【請求項３】
前記保持アームをその長手方向に移動可能に支持するアーム支持部と、
前記アーム支持部の内部に設けられ、前記保持アーム上の前記放熱体に向かって送風する送風機と、
前記保持アームがその保持アーム上の前記冷却デバイスが前記送風機に対向する位置にあることを検出する位置検出器と、
前記位置検出器により前記保持アームがその保持アーム上の前記冷却デバイスが前記送風機に対向する位置にあることが検出された場合、前記冷却デバイスの冷却力を増加させるように前記冷却デバイスを制御する制御部と、
を備えることを特徴とする請求項２記載のＸ線診断装置。
【請求項４】
前記制御部は、前記位置検出器により前記保持アームがその保持アーム上の前記冷却デバイスが前記送風機に対向する位置にあることが検出された場合、前記送風機の送風量を増加させるように前記送風機を制御することを特徴とする請求項３記載のＸ線診断装置。
【発明の詳細な説明】
【技術分野】
【０００１】
本発明は、Ｘ線診断装置に関し、例えば、Ｘ線照射器やＸ線検出器などの発熱体を備えるＸ線診断装置に関する。
【背景技術】
【０００２】
Ｘ線診断装置は、Ｘ線照射器により天板上の被検体（例えば患者や受検者など）に対してＸ線を照射し、Ｘ線検出器により被検体を透過したＸ線量を検出して被検体の投影データを収集する装置である。Ｘ線照射器及びＸ線検出器は天板を間に対向してＣアームにより保持されている。このＸ線診断装置としては、例えば、循環器系の医用画像を撮影するＸ線透視撮影装置などがある。
【０００３】
通常、Ｘ線検出器やＸ線照射器は自身の発熱量が大きいので、その発熱がシステムに影響を与えることを防止するため、Ｘ線照射器やＸ線検出器などを冷却する必要がある。特に、Ｘ線検出器では、発熱によりノイズが発生するため、Ｘ線検出器自体の性能に影響がある。
【０００４】
ここで、冷却方法としては、強制空冷や水冷式冷却などがある（例えば、特許文献１参照）。強制空冷では、空冷用のファンがＸ線照射器やＸ線検出器の近傍に配置される。また、水冷式冷却では、チラーなどの冷水循環装置が用いられ、冷水がホースによりＸ線照射器やＸ線検出器に供給される。この冷水用のホースは検査室から機械室まで数十ｍの長さで施設される。
【先行技術文献】
【特許文献】
【０００５】
【特許文献１】特開２００５−２３０２２０号公報
【発明の概要】
【発明が解決しようとする課題】
【０００６】
しかしながら、強制空冷を行う場合には、Ｘ線照射器やＸ線検出器の近傍に空冷用のファンが配置されるため、騒音が大きく、さらに、埃や塵などによる汚染が発生してしまう。また、水冷式冷却を行う場合には、チラーなどの冷水循環装置を用いるため、ホースにより冷却水を引き回す距離が長く、大規模な冷却システムが構築される。このため、装置が複雑になり、かつ、コストが高くなってしまう。
【０００７】
本発明は上記に鑑みてなされたものであり、その目的は、空冷による騒音及び汚染を抑止することができ、さらに、装置の簡略化及びコスト削減を実現することができるＸ線診断装置を提供することである。
【課題を解決するための手段】
【０００８】
請求項１記載の発明の特徴は、Ｘ線診断装置において、Ｘ線により被検体の医用画像を撮影する撮影部を構成する発熱体と、発熱体を冷却液により冷却する熱交換器と、発熱体及び熱交換器を保持し、放熱性を有する円弧状の保持アームと、保持アームの内部に形成され、保持アームの形状に沿って冷却液を流し、熱交換器に循環させる循環流路と、熱交換器及び循環流路に冷却液を流すためのポンプとを備えることである。
【発明の効果】
【０００９】
本発明によれば、空冷による騒音及び汚染を抑止することができ、さらに、装置の簡略化及びコスト削減を実現することができる。
【図面の簡単な説明】
【００１０】
【図１】本発明の第１の実施の形態に係るＸ線診断装置の概略構成を示す模式図である。
【図２】図１に示すＸ線診断装置が備えるＸ線検出器を冷却する冷却構造を示す模式図である。
【図３】図２に示す冷却構造を示す斜視図である。
【図４】図３に示す冷却構造を示す断面図である。
【図５】本発明の第２の実施の形態に係るＸ線診断装置が備えるＸ線検出器を冷却する冷却構造を示す模式図である。
【図６】図５に示す冷却構造を示す断面図である。
【図７】本発明の第３の実施の形態に係るＸ線診断装置が備えるＸ線検出器を冷却する冷却構造を示す模式図である。
【図８】図７に示す冷却構造を示す断面図である。
【図９】冷却処理の流れを示すフローチャートである。
【発明を実施するための形態】
【００１１】
（第１の実施の形態）
本発明の第１の実施の形態について図１乃至図４を参照して説明する。
【００１２】
図１に示すように、本発明の第１の実施の形態に係るＸ線診断装置１は、患者などの被検体Ｔが載置される寝台２と、その寝台２上の被検体Ｔの医用画像をＸ線により撮影する撮影部３と、その撮影部３を移動可能に支持して撮影位置まで移動させる移動機構４と、各部を制御する制御装置５とを備えている。
【００１３】
寝台２は、被検体Ｔを載せる長方形状の天板２ａと、その天板２ａを支持して水平方向及び鉛直方向に移動させる天板駆動部２ｂとにより構成されている。この天板駆動部２ｂは移動機構や駆動源などを具備しており、制御装置５に電気的に接続されている。寝台２は、天板駆動部２ｂにより天板２ａを移動させ、天板２ａ上の被検体Ｔを所望の位置に位置付ける。
【００１４】
撮影部３は、寝台２の天板２ａ上の被検体Ｔに対してＸ線を照射するＸ線照射器３ａと、そのＸ線照射器３ａにより照射されて被検体Ｔを透過したＸ線を検出するＸ線検出器３ｂとを備えている。この撮影部３は、寝台２の天板２ａの周囲を移動可能に設けられており、撮影位置から天板２ａ上の被検体Ｔの各部位の医用画像を撮影する。
【００１５】
Ｘ線照射器３ａは、Ｘ線を出射するＸ線管やそのＸ線管から出射されたＸ線を絞るＸ線絞り器などを備えている。このＸ線照射器３ａは高電圧発生部（図示せず）を介して制御装置５に電気的に接続されている。Ｘ線絞り器としては、例えばコリメータなどが用いられる。このＸ線照射器３ａは、Ｘ線管によりＸ線を出射し、そのＸ線をＸ線絞り器によって絞り、寝台２の天板２ａ上の被検体Ｔに照射する。
【００１６】
ここで、高電圧発生部は、Ｘ線照射器３ａに供給する高電圧を発生させる装置であり、制御装置５から与えられた電圧を昇圧及び整流し、その電圧をＸ線照射器３ａに供給する。なお、制御装置５は、Ｘ線照射器３ａに所望のＸ線を発生させるため、高電圧発生部に与える電圧の波形、すなわち振幅やパルス幅等の各種条件を制御する。
【００１７】
Ｘ線検出器３ｂは、Ｘ線照射器３ａに対向離間しており、対向するＸ線照射器３ａに対して接離方向に移動可能に形成されている。このＸ線検出器３ｂは、２次元状に配列された複数のＸ線検出素子を有し、被検体Ｔを透過したＸ線を検出する検出器である。Ｘ線検出器３ｂは、制御装置５に電気的に接続されており、検出したＸ線に基づくＸ線画像信号を制御装置５に出力する。Ｘ線検出器３ｂとしては、例えば、Ｘ線平面検出器（ＦＰＤ）などが用いられる。
【００１８】
移動機構４は、Ｘ線照射器３ａ及びＸ線検出器３ｂを対向させて保持する保持アーム４ａと、その保持アーム４ａをスライド移動可能に支持するアーム支持部４ｂと、そのアーム支持部４ｂを回動可能に支持する支柱４ｃとを備えている。この移動機構４は制御装置５に電気的に接続されている。
【００１９】
保持アーム４ａは、例えばＣ字形状のＣアーム（円弧状のアーム）であり、アーム支持部４ｂにスライド移動可能に設けられている。この保持アーム４ａは、そのアームが伸びる長手方向にスライド移動可能に形成されている。保持アーム４ａの長手方向の両端部には、Ｘ線照射器３ａ及びＸ線検出器３ｂがそれぞれ対向させて設けられている。Ｃアーム以外にも、保持アーム４ａとしてΩ字形状のΩアームなどが用いられる。
【００２０】
アーム支持部４ｂは、保持アーム４ａをその長手方向にスライド移動可能に支持する部材であり、支柱４ｃに回動可能に設けられている。また、支柱４ｃは、アーム支持部４ｂを回動可能に支持する部材であり、床面に回動可能に設けられている。
【００２１】
制御装置５は、各部を制御するマイクロプロセッサなどの制御部５ａと、Ｘ線検出器３ｂからのＸ線画像信号に基づいて医用画像を生成する画像処理部５ｂと、各種プログラムや各種データを記憶する記憶部５ｃと、医用画像を保管する保管部５ｄと、術者や助手などの操作者からの入力操作を受け付ける入力部５ｅと、医用画像などの各種画像を表示する表示部５ｆとを備えている。これらの各部５ａ〜５ｆはバス５ｇにより電気的に接続されている。
【００２２】
制御部５ａは、記憶部５ｃに記憶された各種プログラムや各種データに基づいて各部を制御し、特に、入力部５ｅに対する操作者の入力操作に応じて寝台２、撮影部３及び移動機構４を制御する。また、制御部５ａは各種プログラムに基づいて各種データの計算又は加工等を行う一連のデータ処理や医用画像などの画像を表示する画像表示処理などを実行する。なお、制御部５ａは、移動機構４の駆動部（例えばサーボモータ）などに設けられたエンコーダからの出力値に基づいて、保持アーム４ａの位置情報を得ることが可能である。
【００２３】
画像処理部５ｂは、Ｘ線検出器３ｂから出力されたＸ線画像信号から医用画像を生成し、その医用画像を記憶部５ｃやネットワークを介して接続された他の記憶装置などに保存する。
【００２４】
記憶部５ｃは、制御部５ａが実行する各種プログラム及び各種データを記憶するメモリや制御部５ａのワークエリアとしても機能するメモリなどである。この記憶部５ｃとしては、例えば、ＲＯＭやＲＡＭ、磁気ディスク装置、半導体ディスク装置（フラッシュメモリ）などが用いられる。
【００２５】
保管部５ｄは、医用画像を順次保管するメモリである。この保管部５ｄとしては、例えば、磁気ディスク装置や半導体ディスク装置（フラッシュメモリ）などが用いられる。なお、保管部５ｄはネットワークを介して接続されてもよい。
【００２６】
入力部５ｅは、操作者により入力操作される操作部である。この入力部５ｅとしては、例えば、ジョイスティックやキーボード、マウスなどの入力デバイスが用いられる。術者や助手などの操作者は、入力部５ｅを入力操作し、撮影部３を所望の撮影位置に移動させる。
【００２７】
表示部５ｆは、被検体Ｔの医用画像などの各種画像を表示する表示装置である。この表示部５ｆとしては、例えば、液晶ディスプレイやＣＲＴ（Cathode Ray Tube）ディスプレイなどが用いられる。
【００２８】
次に、前述のＸ線検出器３ｂを冷却する冷却構造について説明する。
【００２９】
図２及び図３に示すように、発熱体となるＸ線検出器３ｂには、水などの冷却液による冷却を行う熱交換器１１が設けられている。この熱交換器１１は保持アーム４ａの先端部に設けられており、保持アーム４ａによりＸ線検出器３ｂと共に保持されている。
【００３０】
熱交換器１１は、その内部流路１１ａに冷却液を流し、冷却液とＸ線検出器３ｂとの間で間接的に熱交換を行い、Ｘ線検出器３ｂを冷却する。内部流路１１ａは、Ｘ線検出器３ｂに対する冷却効率が向上するように、そのＸ線検出器３ｂに接触する接触面の全面にわたって折り返しを繰り返して（つずら折り状に）設けられている。
【００３１】
この熱交換器１１には、冷却液循環用の小型のポンプ１２が設けられている。このポンプ１２は電気的に制御部５ａに接続されており、その駆動が制御部５ａにより制御される。なお、ポンプ１２の取付位置は熱交換器１１に限られるものではなく、例えば、保持アーム４ａであってもよい。
【００３２】
また、支柱４ｃ内の駆動部４ｃ１（図２参照）は電気的に制御部５ａに接続されており、その駆動が制御部５ａにより制御される。駆動部４ｃ１は、保持アーム４ａのスライド移動やアーム支持部４ｂの回転などを行うための駆動部である。
【００３３】
図３及び図４に示すように、保持アーム４ａの内部には、循環流路Ｐが保持アーム４ａの形状に沿って冷却液を流すように形成されている。この循環流路Ｐは、熱交換器１１に冷却液を循環させるようにその熱交換器１１の内部流路１１ａに連通している。また、循環流路Ｐは、保持アーム４ａの熱交換器１１側の端部から保持アーム４ａの長手方向（スライド移動方向）に沿って伸びており、その他端部で折り返して熱交換器１１側の端部まで戻ってくるように形成されている。
【００３４】
このような冷却構造において、冷却液はポンプ１２の駆動により熱交換器１１の内部流路１１ａ及び保持アーム４ａの循環流路Ｐを流れて循環する。Ｘ線検出器３ｂで発生した熱は熱交換器１１の内部流路１１ａを通過する冷却液により放散される。このとき、冷却液は発熱体であるＸ線検出器３ｂから熱を奪い取る。その後、冷却液は保持アーム４ａの循環流路Ｐを流れ、熱交換器１１に戻ってくる。なお、ポンプ１２は装置電源ＯＮ後に常時駆動しているため、冷却液は熱交換器１１の内部流路１１ａ及び保持アーム４ａの循環流路Ｐを常時循環している。
【００３５】
この循環動作では、保持アーム４ａ全体が放熱体として機能するので、冷却液の熱は保持アーム４ａにより放散され、その冷却液は保持アーム４ａ内の循環流路Ｐを流れながら徐々に冷却される。これにより、保持アーム４ａ全体を放熱体として冷却液を冷やすことが可能となるので、空冷用のファン、あるいは、チラーのような冷水循環装置を用いることなく、熱交換器１１によってＸ線検出器３ｂを冷却することができる。
【００３６】
ここで、保持アーム４ａは、例えばアルミなどの金属を用いてアルミ押し出しやアルミ鋳造などにより形成されており、優れた放熱性を有している。保持アーム４ａの材料としては、強度や重量、放熱性などを考慮して適した材料が用いられる。なお、保持アーム４ａの内部中央部分は軽量化のために空洞となっている（図４参照）。
【００３７】
以上説明したように、本発明の第１の実施の形態によれば、Ｘ線検出器３ｂ及び熱交換器１１を保持して放熱性を有する円弧状の保持アーム４ａの内部に、その保持アーム４ａの形状に沿って冷却液を流して熱交換器１１に循環させる循環流路Ｐを設けることによって、保持アーム４ａ全体が放熱体として機能するので、冷却液の熱は保持アーム４ａにより放散され、その冷却液は保持アーム４ａ内の循環流路Ｐを流れながら徐々に冷却される。その後、冷却液は再び熱交換器１１に流入して冷却に用いられるので、Ｘ線検出器３ｂが効率良く確実に冷却される。
【００３８】
したがって、空冷用のファンを配置せずに冷却を行うことが可能となるので、空冷による騒音及び汚染を抑止することができる。また、チラーなどの冷水循環装置を用いることなく、さらに、ホースにより冷却水を引き回す必要もなくなり、大規模な冷却システムの構築を防止することが可能となるので、装置の簡略化及びコスト削減を実現することができる。
【００３９】
また、Ｘ線検出器３ｂの発熱が抑えられ、ノイズ発生が抑止されるので、発熱によるＸ線検出器３ｂの性能低下を防止することができる。なお、Ｘ線検出器３ｂは撮影中に患者に近づくことがあるが、そのＸ線検出器３ｂは熱交換器１１により確実に冷却されるので、Ｘ線検出器３ｂが患者に触れた場合でも、やけどなどの怪我の心配はない。
【００４０】
（第２の実施の形態）
本発明の第２の実施の形態について図５及び図６を参照して説明する。
【００４１】
本発明の第２の実施の形態は第１の実施の形態と基本的に同じである。したがって、第２の実施の形態では、第１の実施の形態と異なる部分について説明し、第１の実施の形態で説明した部分と同じ部分の説明を省略する。
【００４２】
図５及び図６に示すように、本発明の第２の実施の形態では、冷却デバイス２１が保持アーム４ａの背面に複数個（例えば６個）埋め込まれている。これらの冷却デバイス２１の表面は保持アーム４ａの背面から露出している。また、放熱体２２が保持アーム４ａの背面を覆うようにその全面に設けられている。ここで、保持アーム４ａの天板２ａ側の内面が前面であり、その反対の外面が背面である。
【００４３】
冷却デバイス２１は、保持アーム４ａの長手方向に略等間隔に３個並べられ、さらに、その短手方向に２個並べられて保持アーム４ａの背面に埋め込まれている。これらの冷却デバイス２１は保持アーム４ａの循環流路Ｐ上の背面に位置付けられており、その循環流路Ｐの近傍に存在している。各冷却デバイス２１は、保持アーム４ａの循環流路Ｐを循環する冷却液を保持アーム４ａを介して間接的に冷却する。各冷却デバイス２１としては、例えば、ペルチェ素子などが用いられる。
【００４４】
各冷却デバイス２１は制御部５ａに電気的に接続されており、各々の駆動は制御部５ａにより制御される。制御部５ａは、冷却デバイス２１に印加する電圧（電流）を制御し、冷却デバイス２１の冷却力（冷却温度）を調整する。例えば、制御部５ａは、冷却デバイス２１の冷却力を一定に維持すように印加電圧を制御する。
【００４５】
放熱体２２は、保持アーム４ａの背面及び各冷却デバイス２１の表面に接触し、その接触面の反対面にフィン構造を有しており、保持アーム４ａの熱を空気中に放散させる部材である。なお、フィン構造により放熱体２２の表面積が増加するので、放熱効率を向上させることができる。
【００４６】
以上説明したように、本発明の第２の実施の形態によれば、第１の実施の形態と同様の効果を得ることができる。さらに、保持アーム４ａの背面に冷却デバイス２１及び放熱体２２を設けることによって、冷却力及び放熱力を上げ、保持アーム４ａの循環流路Ｐ内の冷却液を冷やす冷却能力を向上させることが可能となるので、発熱体となるＸ線検出器３ｂを確実に冷却することができる。
【００４７】
（第３の実施の形態）
本発明の第３の実施の形態について図７乃至図９を参照して説明する。
【００４８】
本発明の第３の実施の形態は第２の実施の形態と基本的に同じである。したがって、第３の実施の形態では、第２の実施の形態と異なる部分について説明し、第２の実施の形態で説明した部分と同じ部分の説明を省略する。
【００４９】
図７及び図８に示すように、本発明の第３の実施の形態では、送風機３１が複数個（例えば２個）アーム支持部４ｂ内に設けられている。このアーム支持部４ｂは支柱４ｃ側に吸気口（例えばスリット状の吸気口）を有している。
【００５０】
送風機３１は、送風するための回転翼やそれを回転させる小型のモータなどにより構成されている。この送風機３１は、保持アーム４ａの短手方向に２個並べられ、回転翼が保持アーム４ａの背面、すなわち放熱体２２に向けられて設けられている。これらの送風機３１は、アーム支持部４ｂの吸気口から空気を取り込んで保持アーム４ａ上の放熱体２２に向かって風を送る。各送風機３１としては、例えば、ファンなどが用いられる。
【００５１】
各送風機３１は制御部５ａに電気的に接続されており、各々の駆動は制御部５ａにより制御される。制御部５ａは、送風機３１のモータに印加する電圧（電流）を制御し（モータの回転速度制御）、送風機３１の送風量を調整する。
【００５２】
一方、駆動部４ｃ１には、保持アーム４ａのスライド移動方向の位置を検出する位置検出器４ｃ２が設けられている。この位置検出器４ｃ２は、保持アーム４ａのスライド移動方向の位置を検出し、その位置信号を制御部５ａに出力する。これにより、制御部５ａは保持アーム４ａのスライド移動方向の位置を把握することができる。位置検出器４ｃ２としては、例えばエンコーダなどが用いられる（第１の実施の形態と同様である）。
【００５３】
次いで、制御部５ａが行う冷却処理について説明する。制御部５ａは各種プログラムに基づいて冷却処理を実行する。
【００５４】
図９に示すように、まず、制御部５ａは、保持アーム４ａが第１位置、第２位置あるいは第３位置にあるか否かを判断し（ステップＳ１）、保持アーム４ａが第１位置、第２位置あるいは第３位置まで移動することに待機する（ステップＳ１のＮＯ）。
【００５５】
保持アーム４ａは、術者や助手などの操作者がＸ線照射器３ａやＸ線検出器３ｂを所望の撮影位置に移動させるために入力部５ｅを操作すると、その長手方向にスライド移動する。このとき、保持アーム４ａは第１位置、第２位置あるいは第３位置に位置することがある。
【００５６】
ここで、第１位置は図７中の一番上の冷却デバイス２１が送風機３１に対向する位置であり、第２位置は図７中の中央の冷却デバイス２１が送風機３１に対向する位置であり、第３位置は図７中の一番下の冷却デバイス２１が送風機３１に対向する位置である。
【００５７】
保持アーム４ａが第１位置、第２位置あるいは第３位置にあると判断されると（ステップＳ１のＹＥＳ）、各冷却デバイス２１に印加する電圧を変更し、アーム支持部４ｂ内に位置する冷却デバイス２１の冷却力を上げ（ステップＳ２）、さらに、各送風機３１のモータに印加する電圧を変更し、全ての送風機３１の送風量を上げ（ステップＳ３）、処理をステップＳ１に戻す。
【００５８】
このように、保持アーム４ａが第１位置、第２位置あるいは第３位置にある場合、すなわち、アーム支持部４ｂ内にある冷却デバイス２１はその冷却力が最大になるように制御される（電流値制御）。また、このとき、各送風機３１もその送風量が最大になるように制御される。
【００５９】
なお、各送風機３１によりアーム支持部４ｂの吸気口から吸い込まれた空気は保持アーム４ａ上の放熱体２２に当たり、保持アーム４ａの長手方向に沿って流れて保持アーム４ａとアーム支持部４ｂとの隙間からアーム支持部４ｂ外に流れる。これにより、放熱体２２は空冷され、さらに、各送風機３１により発生した風が術者や助手、患者などに直接当たることは抑えられる。
【００６０】
一方、保持アーム４ａが第１位置、第２位置あるいは第３位置にない場合、すなわち、アーム支持部４ｂ内にない冷却デバイス２１は、最大より小さい所望の冷却力（例えば最大冷却力の３０％程度）が維持されるように、さらに、術者や助手が保持アーム４ａ上の放熱体２２に触れてもやけどなどをしない程度の温度に制御される。また、このとき、各送風機３１も最大より小さい所望の送風量が維持されるように制御される。
【００６１】
このようにして、アーム支持部４ｂ内にある冷却デバイス２１の冷却力が最大となり、さらに、各送風機３１の送風量が最大となることから、冷却力及び放熱力が上がり、保持アーム４ａの循環流路Ｐ内の冷却液を冷やす冷却能力が向上するので、Ｘ線検出器３ｂを確実に冷却することができ、かつ、効率的及び効果的な冷却を行うことができる。
【００６２】
また、アーム支持部４ｂ内にある冷却デバイス２１の冷却力が最大となり、それに対応する部分、すなわちアーム支持部４ｂ内の放熱体２２の温度は上昇するが、アーム支持部４ｂ外の放熱体２２の温度は抑えられているので、その部分に術者や助手が手などで触れた場合でも、やけどなどの怪我の心配はない。
【００６３】
以上説明したように、本発明の第３の実施の形態によれば、第２の実施の形態と同様の効果を得ることができる。さらに、冷却デバイス２１の冷却力や送風機３１の送風量を制御し、アーム支持部４ｂ内にある冷却デバイス２１の冷却力を最大まで増加させ、かつ、送風機３１の送風量も最大に増加させることによって、冷却力及び放熱力を上げ、保持アーム４ａの循環流路Ｐ内の冷却液を冷やす冷却能力を向上させることが可能となるので、効率的及び効果的な冷却を行うことができる。
【００６４】
加えて、アーム支持部４ｂ内にある冷却デバイス２１の冷却力だけが増加するので、アーム支持部４ｂ内の放熱体２２の温度は上昇するが、アーム支持部４ｂ外の放熱体２２の温度を抑えることも可能となる。これにより、術者や助手が保持アーム４ａ上の放熱体２２に手などで触れた場合でも、やけどなどの怪我の心配はない。
【００６５】
ここで、送風機３１は強制空冷のファンに比べ小型であり、その音は静かである。さらに、送風機３１はアーム支持部４ｂに内蔵されているので、その音を抑えることが可能である。加えて、送風機３１によりアーム支持部４ｂ内に流入した空気はアーム支持部４ｂの上下方向から排出されるので、風が術者や助手、患者に直接当たることを抑止することができる。
【００６６】
なお、本発明は、前述の実施の形態に限るものではなく、その要旨を逸脱しない範囲において種々変更可能である。例えば、前述の実施の形態に示される全構成要素から幾つかの構成要素を削除してもよい。さらに、異なる実施の形態に亘る構成要素を適宜組み合わせてもよい。また、前述の実施の形態においては、各種の数値を挙げているが、それらの数値は例示であり、限定されるものではない。
【００６７】
前述の第１、第２及び第３の実施の形態においては、発熱体となるＸ線検出器３ｂに熱交換器１１を設けているが、これに限るものではなく、例えば、発熱体となるＸ線照射器３ａ、すなわちＸ線管やＸ線絞り器に設けるようにしてもよく、あるいはそれらの両方に設けるようにしてもよい。
【００６８】
また、前述の第３の実施の形態においては、保持アーム４ａが第１位置、第２位置あるいは第３位置にある場合、アーム支持部４ｂ内に位置する冷却デバイス２１の冷却力を上げ、さらに、全ての送風機３１の送風量を上げているが、これに限るものではなく、冷却デバイス２１の冷却力及び送風機３１の送風量のどちらか一方だけを上げるようにしてもよい。
【００６９】
また、前述の第３の実施の形態においては、位置検出器４ｃ２として例えばエンコーダを用いているが、これに限るものではなく、例えば、反射型レーザセンサなどの３個のセンサをそれぞれ第１位置、第２位置及び第３位置に設置し、位置検出器４ｃ２として用いるようにしてもよい。
【符号の説明】
【００７０】
１      Ｘ線診断装置
３      撮影部
３ａ    発熱体（Ｘ線照射器）
３ｂ    発熱体（Ｘ線検出器）
４ａ    保持アーム
４ｂ    アーム支持部
４ｃ２  位置検出器
５ａ    制御部
１１    熱交換器
１２    ポンプ
２１    冷却デバイス
２２    放熱体
３１    送風機
Ｐ      循環流路
Ｔ      被検体
【図１】
2010279474.tif 000003
【図２】
2010279474.tif 000004
【図３】
2010279474.tif 000005
【図４】
2010279474.tif 000006
【図５】
2010279474.tif 000007
【図６】
2010279474.tif 000008
【図７】
2010279474.tif 000009
【図８】
2010279474.tif 000010
【図９】
2010279474.tif 000011